(57)【要約】【課題】低温及び常温の各環境で緩衝性能が劣ることがない緩衝装置を実現する。【解決手段】シリンダ１１内にピストン１２を軸方向に移動自在に設け、ピストンに一体的に連結したピストンロッド１３をシリンダの開口面から出没させると共に、その開口遮蔽するキャップ１４を設ける。キャップのシリンダ内側に設けた円筒部１４ａにより断面形状がＸ字形のオイルシール１９を保持し、キャップのシリンダ外側にボス部１４ｂを設け、キャップ及びボス部の中心部にピストンロッドを支持する長い軸支孔１４ｃを設ける。シリンダ内に封入される粘性流体に、０度近傍を含む−約３０度の低温であっても常温であっても概ね同等の緩衝能力が発揮されるものを用い、温度変化に対して緩衝性能に違いが生じることを防止する。そのような緩衝能力を発揮する粘性流体が低粘度であっても、Ｘ字形断面形状のシール部材を設けることにより、その漏れを防止することができる。【選択図】図２
2006266410.tif 000002
【特許請求の範囲】
【請求項１】
粘性流体が封入されたシリンダを、軸方向に連通するオリフィスを備えたピストンで軸方向について２分割すると共に、前記ピストンがシリンダ内を軸方向に移動する際のオリフィスを通過する粘性流体の抵抗によって制動力を発生させる緩衝装置において、
前記粘性流体に、少なくとも０度近傍を含む低温と常温との温度差があってもせん断にタイする抵抗性が概ね同等となるものを用いると共に、
前記ピストンと一体的に移動するようにされたピストンロッドが出没する前記シリンダの軸方向端部に前記粘性流体の漏れを防止するための環状シール部材が設けられていることを特徴とする緩衝装置。
【請求項２】
前記粘性流体の粘度が１０００ＣＳＴ以下であることを特徴とする請求項１に記載の緩衝装置。
【請求項３】
前記粘性流体の粘度が２００〜３５０ＣＳＴであることを特徴とする請求項１に記載の緩衝装置。
【請求項４】
前記シリンダの前記軸方向端部にキャップが設けられ、
前記キャップが、前記環状シール部材を同軸的に保持するべく前記ピストンロッドの没入側に設けられたシール部材保持部分と、前記ピストンロッドを前記シリンダに対して同軸的に移動自在に支持するように前記ピストンロッドの突出側に設けられかつ前記ピストンロッドの移動方向に長くされたピストンロッド軸支部分とを一体に有することを特徴とする請求項１乃至請求項３のいずれかに記載の緩衝装置。
【請求項５】
前記環状シール部材の内周面に、軸方向に離間して配置されかつ半径方向内向きに突出する複数の内周側環状突部が形成されていることを特徴とする請求項１乃至請求項４のいずれかに記載の緩衝装置。
【請求項６】
前記環状シール部材の外周面に、半径方向外向きに突出する外周側環状突部が設けられていることを特徴とする請求項５に記載の緩衝装置。
【請求項７】
スライド式可動体のスライド停止時における衝撃力の緩和に用いられていることを特徴とする請求項１乃至請求項６のいずれかに記載の緩衝装置。
【発明の詳細な説明】
【技術分野】
【０００１】
本発明は、ピストン及びシリンダ構造の緩衝装置に関するものである。
【背景技術】
【０００２】
従来、本体に対して開閉する開閉体に、その開閉動作において衝撃力を緩和する目的や緩やかな動作により高級感を出すために緩衝装置を用いているものがある。そのような緩衝装置においてピストン及びシリンダ構造からなり、シリンダ内にシリコーンオイルなどの粘性流体を充填すると共にピストンにオリフィスを設け、ピストンの移動によりオリフィスを通過する粘性流体の抵抗により緩衝性能を発揮させるようにしたものがある（例えば特許文献１参照）。
【特許文献１】特許第３４６５９７８号公報
【発明の開示】
【発明が解決しようとする課題】
【０００３】
一方、机やキャビネットなどにおいてスライド可能な引き出しを設けているものがある。そのような引き出しを本体によりスライドレールを介して支持することにより、引き出しの支持剛性を高めることができるため、引き出しの耐荷重を大きくすることができる。そのようなスライドレールを用いた引き出し構造にあっては、引き出しを本体に戻す場合には、本体の収納位置で引き出しの一部をストッパに当接させて位置決めすることができる。収容物の重量が重たくなった引き出しをスライドさせてストッパに衝当させると、容器全体の重量が大きいため大きな衝撃力が発生する。そのような衝撃力を緩和するためには上記した緩衝装置を用いることが考えられる。
【０００４】
一方、引き出しを設けたものが人間の通常活動が可能な常温で使用されることに限られず、例えば冷寒地における低温環境下で使用されることも考えられる。その場合の低温にあっては、０度近傍はもとより極寒の地では−３０度も考えられる。常温で使用されることだけを考えて粘性流体を選択する場合にはその粘度は比較的高いものを選び、低温で使用されることに重きを置いた場合には粘度の低いものを選ぶのが通常である。しかしながら、仕様地向けに粘度を変えた緩衝装置を用意することは組み立てにおいて煩雑化するという問題がある。そのため、常温及び低温のいずれにおいても何ら問題なく性能を発揮し得る緩衝装置が望まれる。
【課題を解決するための手段】
【０００５】
このような課題を解決して、低温及び常温のいずれの環境でも緩衝性能が劣ることがない緩衝装置を実現するために本発明に於いては、粘性流体が封入されたシリンダを、軸方向に連通するオリフィスを備えたピストンで軸方向について２分割すると共に、前記ピストンがシリンダ内を軸方向に移動する際のオリフィスを通過する粘性流体の抵抗によって制動力を発生させる緩衝装置において、前記粘性流体に、少なくとも０度近傍を含む低温と常温との温度差があってもせん断に対する抵抗性が概ね同等となるものを用いると共に、前記ピストンと一体的に移動するようにされたピストンロッドが出没する前記シリンダの軸方向端部に前記粘性流体の漏れを防止するための環状シール部材が設けられているものとした。
【０００６】
特に、前記粘性流体の粘度が１０００ＣＳＴ以下であると良く、さらに２００〜３５０ＣＳＴであると良い。また、前記シリンダの前記軸方向端部にキャップが設けられ、前記キャップが、前記環状シール部材を同軸的に保持するべく前記ピストンロッドの没入側に設けられたシール部材保持部分と、前記ピストンロッドを前記シリンダに対して同軸的に移動自在に支持するように前記ピストンロッドの突出側に設けられかつ前記ピストンロッドの移動方向に長くされたピストンロッド軸支部分とを一体に有すると良い。また、前記環状シール部材の内周面に、軸方向に離間して配置されかつ半径方向内向きに突出する複数の内周側環状突部が形成されていると良く、さらに前記環状シール部材の外周面に、半径方向外向きに突出する外周側環状突部が設けられていると良い。また、スライド式可動体のスライド停止時における衝撃力の緩和に用いられていると良い。
【発明の効果】
【０００７】
このように本発明によれば、ピストン及びシリンダ構造の緩衝装置において、そのシリンダ内に封入される粘性流体に、少なくとも０度近傍の低温であっても常温であってもせん断に対する抵抗性が概ね同等となるものを用いることにより、上記低温と常温との温度変化に対して緩衝性能に違いが生じることを防止することができる。せん断に対する抵抗性にあっては、その抵抗性が高いと高速度や高荷重でのせん断劣化が起こり難いことを意味する。特に、粘度が１０００ＣＳＴ以下であり、さらに粘度が２００〜３５０ＣＳＴの粘性流体を用いることにより、上記せん断に対する抵抗性が低温であっても常温であっても概ね同等となり得る。なお、低温の温度としては０度近傍に限られず、−約３０度も含めることができる。
【０００８】
特に、シリンダの軸方向端部に設けたキャップにより環状シール部材を保持すると共にピストンロッドを軸支することにより、移動するピストンロッドと環状シール部材との同軸性が確保されるため、ピストンストロークを長くしても何ら問題なく、ピストンストロークを長くした緩衝装置を容易に提供し得る。また、低温時を考慮して選択する粘性流体にあっては、常温時のみに対応させて選択するものよりも粘度が低いものを選ぶことになるため、ピストンと一体的に移動するピストンロッドのシリンダに対する出没部分から粘度の低い粘性流体が漏れる虞がある。その部分に設ける環状シール部材の内周面に軸方向に離間して配置されかつ半径方向内向きに突出する複数の内周側環状突部が形成されていることにより、ピストンロッドに対して軸方向に複数箇所で遮断することができるため、ピストンロッドの外周面が粗くてある箇所で内周側環状突部との間で隙間が生じても、他の箇所での摺接状態が確保されることにより、シール部材としてのシール性が確保されるため、低粘度の粘性流体を用いても何ら問題が無い。さらに、環状シール部材の外周面に半径方向外向きに突出する外周側環状突部が設けられていることにより、例えばシール部材保持部分を円筒状に形成し、その中に環状シール部材を保持するようにした場合にシール部材保持部部の内周面に外周側環状突部を弾発的に当接させることができるため、その部分のシール性を好適に確保することができる。これにより、ピストンロッドの移動によりシール部材の外周部分が半径方向内側に引き込まれるように変形したとしても、外周側環状突部によりシール性を確保することができ、より高いシール性を発揮し得る。
【０００９】
また、本願発明の緩衝装置をスライド式可動体のスライド停止時における衝撃力の緩和に用いると良い。キャビネットの引き出しなどに用いられるスライド式可動体にあっては、そのスライド方向は直線的であり、シリンダの軸方向に移動するピストンにより、好適に衝撃力を緩和し得る。使用環境の違い毎に異なる粘性流体を封入した緩衝装置を用いる必要が無くなるため、製造工程における繁雑さを解消することができる。また、同一のものを用意するだけで良くなり、部品コストを低廉化し得る。
【発明を実施するための最良の形態】
【００１０】
以下、本発明の実施の形態を、図面を参照しながら説明する。図１は本願発明の緩衝装置としてのダンパ１が用いられたキャビネット２の外観の要部を示す部分斜視図である。図に示されるように、キャビネット２には前方にスライド可能な引き出し３が設けられている。また、キャビネット２の左右の側壁には概ね水平状態にベースレール４が固設され、そのベースレール４により、キャビネット２の前面に対して出没する向きにスライドし得るようにスライドレール５が支持されている。そのスライドレール５により引き出し３が支持されている。
【００１１】
そして、引き出し３のキャビネット２に対する格納時に例えばスライド終端におけるスライド停止時の衝撃力を緩和するために、図示例ではキャビネット２の本体内側面の適所にダンパ１が固設されている。引き出し３の適所には、引き出し３の格納時にダンパ１の後記するピストンロッドに衝当し得るダンパ作動用ストライカ６が設けられている。
【００１２】
図２に本願発明に基づくダンパ１の側断面を示す。なお、このダンパ１はピストンストロークを長くして設計したものであり、図ではシリンダ及びピストンロッドの一部を切除して示している。
【００１３】
シリンダ１１は、その軸方向一端部を閉じられた底面とし且つ軸方向他端部を開口面とする有底円筒状に形成されている。シリンダ１１内には、小径の円筒状に形成された底面側の小径部１１ａとその小径部１１ａより大径の円筒状に形成された開口面側の大径部１１ｂとが互いに同軸に隣接し且つそれぞれ所定の軸方向長さをもって設けられている。小径部１１ａには、その内周面に摺合するピストン１２が同軸的に配設されており、ピストン１２にはピストンロッド１３の没入方向端部が連結されている。なお、ピストンロッド１３の突出方向側はシリンダ１１の開口面から外方に延出している。シリンダ１１の開口面側の軸方向端部には開口面を塞ぐキャップ１４が取り付けられており、シリンダ１１内には粘性流体としてシリコーンオイルが封入されている。
【００１４】
シリンダ１１の大径部には、ピストンロッド１３を外囲する円筒状の発泡材からなるアキュムレータ１５が設けられており、そのアキュムレータ１５の内周面とピストンロッド１３の外周面との間にはある程度の空間が設けられている。アキュムレータ１５は、適度な弾発力を有し且つ所定の圧力が加わると縮むような発泡性合成樹脂材で円筒形に形成されており、大径部１１ｂの内周面にリテーナ１６を介して保持されている。
【００１５】
ピストン１２は、ピストンロッド１３の没入方向端部と実質的に一体をなすインナ部材１２ａと、インナ部材１２ａの外周面と所定の空隙Ｇをおいてインナ部材１２ａに遊嵌され且つシリンダ１１の小径部１１ａの内周面に摺合したアウタ部材１２ｂとからなり、インナ部材１２ａとアウタ部材１２ｂとの間には、両者を軸方向について離間させる向きに弾発付勢する圧縮コイルばね１７が装着されている。ここでインナ部材１２ａの外径寸法は、ピストンロッド１３の突出側がより大きくなるように段階的に変化しており、圧縮コイルばね１７の弾発付勢力に抗してアウタ部材１２ｂの内部へのインナ部材１２ａの突入量が増えると、インナ部材１２ａとアウタ部材１２ｂとの間の空隙Ｇが狭くなるようにしてある。またアウタ部材１２ｂは有底円筒状をなし、その底壁には粘性流体を流過させるための適宜な口径のオリフィス１８が形成されている。
【００１６】
粘性流体にあっては、本キャビネット２が種々の環境で使用されても本ダンパ１が何ら問題なく対応し得るように、せん断に対する抵抗性がきわめて高く、高速度や高荷重でのせん断劣化は起こり難く、長超寿命を保つという特性があるシリコーンオイルが適当である。また、使用される環境としては常温から−約３０度の低温を想定するものとする。まず常温で適切な（設計通りの）粘性抵抗が得られるものの中から−約３０度の低温でも常温と同等の粘性抵抗が得られるものを選定する。そのような条件を満たす粘性流体にあっては、その粘度を１０００ＣＳＴ以下にすると良い。
【００１７】
特に、２００〜３５０ＣＳＴの粘度とすると良い。シリコーンオイルにあっては、せん断に対する抵抗性が高いため、−３０度を含む低温と常温との温度の違いにかかわらず所定の衝撃力緩和性能を発揮し得る。
【００１８】
しかしながら、上記例としてあげた２００〜３５０ＣＳＴの粘性流体にあっては通常粘度が低い。粘度が低いとシール部分からの漏れ対策が重要になるため、そのシール構造について以下に示す。
【００１９】
キャップ１４のシリンダ１１内側には、シール部材保持部分として、ピストンロッド１３に対して所定の隙間をもって外囲する内周面を有する円筒部１４ａが軸方向に突出して形成されている。その円筒部１４ａ内には、ピストンロッド１３の外周面に摺接するシール部材としての環状のオイルシール１９が装着されている。オイルシール１９の断面形状はＸ字形に形成されている。オイルシール１９のＸ字形の内周側となる両脚部がピストンロッド１３にその軸方向について離間した２箇所で摺接することから、その２箇所でピストンロッド１３の外周面に付着しているオイルを掻き取ることができる。例えば断面形状が横向きＶ字形のオイルシールの場合にはその拡開している一方の突出端がピストンロッドに摺接することから、１箇所のみでピストンロッドとの間を遮断することになり、ピストンロッドの外周面が粗いと浮いた時に空気が入り込む虞がある。それに対して、Ｘ字形のように２箇所または他の形状によりそれ以上の複数箇所でピストンロッド１３に摺接させるオイルシールを用いることにより、１箇所が浮いても他方が摺接していることにより空気の入り込み及びオイル漏れを防止することができる。この様に上記Ｖ字形のオイルシールよりも強力なシール性能を発揮することができるため、低粘度の粘性流体を使用しても、その漏れを防止することができる。
【００２０】
キャップ１４のシリンダ外側には、ピストンロッド軸支部分として、ピストンロッド１３の突出方向に突出するボス部１４ｂが形成されている。キャップ１４の端板部分及びボス部１４ｂの中心部には、ピストンロッド１３を軸方向に同軸的に移動自在に軸支する軸支孔１４ｃが貫通して形成されている。軸支孔１４ｃの軸方向長さは、ピストンロッド１３の移動方向にある程度長くされている。このように軸支孔１４ｃの長さを長くすることによりピストンロッド１３のその軸線に対して交差する向きの振れを抑制することができる。それによりピストンロッド１３を長く、すなわちダンパ１のピストンストロークを長くすることができるため、ピストンロッド１３の長い移動距離に渡って衝撃力を緩和することができ、より大きな衝撃力に適用可能なダンパ１を提供し得る。
【００２１】
次に本ダンパ１の作動要領について説明する。
【００２２】
引き出し３を大きく引き出した状態では図２に示すように、ピストンロッド１３はシリンダ１１から外に引き出されている。これは、引き出し３を引き出すことによりピストンロッド１３が引き出されるようにしておくことで可能である。例えば、ピストンロッド１３の突出方向端部に係合部材１３ａを固着し、引き出し方向には係合部材１３ａと係合するが、格納方向には係合部材１３ａに対して自由変位可能となる爪部材をスライドレール６に設けておけば良い。
【００２３】
図２の状態から引き出し３を格納方向に押し込むと、スライド途中でダンパ作動用ストライカ６がピストンロッド１３の突出方向端に当接し、さらに引き出し３を押し込むことによりその移動に伴ってシリンダ１１の内部へピストンロッド１３が没入する。この際、シリンダ１１の底面側のシリコーンオイルが、ピストン１２のアウタ部材１２ｂのオリフィス１８及びアウタ部材１２ｂとインナ部材１２ａとの空隙Ｇを経てアキュムレータ１５側へ移動し、このときのシリコーンオイルの流動抵抗でピストンロッド１３に加わるエネルギが減衰される。
【００２４】
なお、アウタ部材１２ｂとインナ部材１２ａとが圧縮コイルばね１７の弾発力で離間した状態を保持しつつピストン１２が移動する場合には、アウタ部材１２ｂとインナ部材１２ａとの間の空隙Ｇが広く保持されているので、制動力は低い範囲に保たれる。キャビネット２の引き出し３の格納作動時において比較的緩やかに移動させる場合にはスライド終端に達した時に大きな衝撃力は生じない。そのように緩やかな移動により大きな衝撃力が生じない場合まで大きく緩衝させる必要が無いため、上記ピストン構造にすることが有効である。また、ピストンロッド１３のシリンダ１１内への没入長さが長くなると、その分シリンダ１１の内容積が減少してシリコーンオイルの封入圧が高まるが、これは発泡性合成樹脂材で形成されたアキュムレータ１５の圧縮変形で吸収される。
【００２５】
このようにして構成されたダンパ１にあっては、上記したように常温であっても、少なくとも０度近傍でありさらに−約３０度を含む低温であっても、概ね同等の緩衝能力が発揮されるので、仕様地向けにダンパ１を付け替えるという手間を省くことができる。また、複数種類のダンパを用意した場合には組み付け間違いを防止するため組み付け作業が煩雑化するのに対して、１種類のダンパ１のみを取り扱えば良いため、そのような煩わしさがなく、作業効率を向上し得る。
【００２６】
なお、シリコーンオイルの流動抵抗はピストン速度に対して累進的に増大するので、例えばある速度以上でピストン１２が移動する時のアウタ部材１２ｂに加わるシリコーンオイルの抵抗で圧縮コイルばね１７が縮むように設定しておくと、ある速度以上でアウタ部材１２ｂが動き難くなるので圧縮コイルばね１７が収縮し、図３に示したように、インナ部材１２ａがアウタ部材１２ｂ内に入り込むことになる。するとインナ部材１２ａとアウタ部材１２ｂとの間の空隙Ｇが狭くなるので、シリコーンオイルの流動抵抗による制動力が高まる。このようにして、大きな衝撃力を好適に緩和することができるため、速い移動速度で格納する場合のスライド終端における大きな衝撃力の発生を防止することができる。
【００２７】
このようにして、可変オリフィスによる制動力の切り替えを行う速度検知に圧縮コイルばね１７を用いて、雰囲気温度の変化による切り替え速度の変動が比較的少なくて済むように構成することができる。これによっても、常温使用状態と低温使用状態との温度差に対しても概ね同等の緩衝能力が発揮される。
【００２８】
また、本発明に基づく環状シール部材にあっては、上記図示例の断面形状がＸ字形のものに限られるものではなく、他の例として図４を参照して以下に示す。なお、上記図示例と同様の部分については同一の符号を付してその詳しい説明を省略する。
【００２９】
図４に示される環状シール部材２１にあっては、その断面形状の全体形状が図に示されるように軸方向に沿ったＹ字形をなしている。Ｙ字形の２本のアームにおけるピストンロッド１３側の内周側アームが半径方向内向きかつ斜めに突出する内周側環状突部２１ａとして形成されており、他方の外周側アーム２１ｂはＹ字形の軸となる部分と共に環状シール部材２１の外周面を形成している。さらに、Ｙ字形の軸となる部分の内周面には半径方向内向きに突出する第２の内周側環状突部２１ｃが形成されている。このようにして、両内周側環状突部２１ａ・２１ｃが軸方向に離間して配置されている。また、環状シール部材２１の外周面には半径方向外向きに突出する外周側環状突部２１ｄが形成されている。なお、各環状突部２１ａ・２１ｃ・２１ｄは環状シール部材２１の全周に渡って形成されている。
【００３０】
上記したように形成された環状シール部材２１は、その外周面が円筒部１４ａの内周面に密着した状態で円筒部１４ａに装着される。その装着状態では外周側環状突部２１ｄが図の二点鎖線で示されるように半径方向内側に押し込まれるため、外周側アーム２１ｂの弾発復元力により外周側環状突部２１ｄの突出端（エッジ）が円筒部１４ａの内周面に弾発的に当接する。
【００３１】
また、環状シール部材２１の内周側の形状にあっては、Ｙ字形の軸部の内周面がピストンロッド１３の外周面に対して隙間を有して対峙することにより、各内周側環状突部２１ａ・２１ｃが図の二点鎖線で示されるようにピストンロッド１３の外周面に弾発的に摺接するようにされている。これによりピストンロッド１３の外周面に対して軸方向に離間した２箇所で各内周側環状突部２１ａ・２１ｃの突出端（エッジ）が弾発的に摺接することになる。これにより、上記オイルシール１９と同様にピストンロッド１３の外周面が粗くて一方が浮いた場合でも他方が摺接していることにより、ピストンロッド１３の軸方向移動による空気の入り込み及びオイル漏れを防止することができる。
【００３２】
また、ピストンロッド１３の軸方向移動により環状シール部材２１全体が移動方向に引きずられて外周側アーム２１ｂが半径方向内側に変形するようになっても、円筒部１４ａの内周面に対する外周側環状突部２１ｄの弾発的当接状態が保持されることにより、その部分のシール性が確保されるため、接着剤などを使用することなくオイル漏れを確実に防止し得る。
【産業上の利用可能性】
【００３３】
本発明にかかる緩衝装置は、低温と常温との温度変化に対して概ね同等の緩衝能力を発揮し得るものであり、そのような温度変化があり得る環境で使用される製品に緩衝装置が取り付けられる場合に有用である。
【図面の簡単な説明】
【００３４】
【図１】本発明が適用されたキャビネットの要部斜視図である。
【図２】本発明に基づくダンパを示す側断面図である。
【図３】高速作動時のダンパを示す図２に対応する図である。
【図４】シール部材の他の例を示す拡大側断面図である。
【符号の説明】
【００３５】
１  ダンパ
１１  シリンダ
１２  ピストン
１３  ピストンロッド
１４  キャップ、１４ａ  円筒部、１４ｂ  ボス部、１４ｃ  軸支孔
１９・２１  オイルシール
【図１】
2006266410.tif 000003
【図２】
2006266410.tif 000004
【図３】
2006266410.tif 000005
【図４】
2006266410.tif 000006